(57)【特許請求の範囲】
【請求項１】
骨組みとなる構造材に取り付けられ、この構造材の覆い体を上記構造材側に押さえ付ける紐を固定する紐固定具において、前記構造材に係合するフック部を有した紐固定具本体と、このフック部の反対側の端部に形成され紐が挿通される凹部と、この凹部に揺動自在に連結された紐保持部と、上記紐保持部の頭部の上記紐が当接する部分に形成され上記紐が挿通する切欠き部とからなる紐保持具。
【請求項２】
上記フック部は、その円弧部分が１８０度以上に形成され、上記フック部の先端部はさらに外方にわずかに湾曲しており、上記フック部は、弾性変形させてそのフック部の曲率半径を変更可能に設けられている請求項１記載の紐保持具。
【発明の詳細な説明】
【０００１】
【発明の属する技術分野】
この発明は、温室の枠組みとなる構造材に、ビニールなど合成樹脂製のシート等の覆い体を保持固定するために使用される紐固定具に関する。
【０００２】
【従来の技術】
従来、ビニールなどの合成樹脂製のシートをビニールハウス等の温室の枠組みとなる構造材に取り付ける紐固定具は、図３、図４に示すような固定部品を使用していた。この紐固定具は、図４（Ａ），（Ｂ）に示すように、紐固定具本体１に、フック部７が形成され、その反対側の端部に凹部２が形成されている。この凹部２に、図４（Ａ），（Ｂ）に示すＴ字状の紐保持部３が取りつけられている。紐固定具本体１の凹部２と紐保持部３は、例えばステンレス製のピンなどで取り付けられている。このＴ字状の紐保持部３は、紐を固定するため、凹部２の底面５と紐保持部３の端面との間に紐を挟んで、保持するための面取り部６が形成されている。
【０００３】
この紐固定具の使用方法は、図３に示すように、紐固定具本体１の凹部２と紐保持部３の端面との間に紐１０を挿通し、一端部を紐固定具本体１の背面側に出し、端部に結び目１０ａを形成しておく。そして、紐固定具本体１のフック部７をパイプ１２に係合させ、挿通した紐１０を紐保持部３の頭部４に当接させて引くと、紐１０がその張力で頭部４を揺動させるように付勢し、紐保持部３の下面６と凹部２の底面５との間で、紐１０を挟持し、紐１０を強く引けば引く程紐１０を強く保持する構造となっている。なお、結び目１０ａは、紐が外れた場合にも紐１０が完全に抜けてしまわないようにするもので、結び目の位置で紐１０を保持しているものではない。
【０００４】
【発明が解決しようとする課題】
上記従来の技術の場合、パイプ１２の太さは各種あるのに対してフック部７の曲率半径が一定であるため、１種類のパイプに使えないものであった。さらに、フック部７の弾力性もなく、フック部７の円弧部分の距離も少ないので、無理に太いパイプに係合させても容易に外れてしまうものであった。また、使用時に、紐保持部３の頭部４に圧接している紐１０に、横方向の力がかかると、容易に頭部４から紐１０が側方に外れ、紐保持部３の頭部４を押圧している力がなくなり、紐１０の保持が解除されて、紐１０が簡単に外れてしまうという問題があった。
【０００５】
この発明は、上記従来の技術の問題点に鑑みてなされたもので、コストが安価で、取り付け強度が高く外れにくく、複数の太さのパイプにも取付可能な紐固定具を提供することを目的とする。
【０００６】
【課題を解決するための手段】
この発明は、温室の骨組みとなる構造材に取り付けられ、温室用の覆い体であるシートを上記構造材側に押さえ付ける紐を固定する紐固定具であって、前記構造材に係合するフック部を有した紐固定具本体と、その反対側の端部に形成され紐が挿通される凹部と、この凹部に揺動自在に連結された紐保持部と、上記紐保持部の頭部の上記紐が当接し挿通する部分に形成された切欠き部とからなる紐保持具である。上記紐保持部は上記凹部に挿通された上記紐を上記凹部の底面との間に保持し、上記頭部を上記紐の張力により押圧することにより、上記紐保持部により上記紐が保持されるものである。
【０００７】
また、上記フック部は、その湾曲部分の円弧部分が、１８０度以上に形成され、上記フック部の先端部はさらに外方にわずかに湾曲しており、上記フック部は、弾性変形してそのフック部の曲率半径を変更可能に設けられている。
【０００８】
【発明の実施の形態】
以下、この発明の実施の形態について、図面に基づいて説明する。図１、図２は、この発明の一実施の形態について示すもので、この実施形態の紐固定具２０は、図１に示すように、ビニールハウス等の温室の水平方向の骨組みとなる構造材であるパイプ１２に取り付けられ、紐固定具本体２１と紐保持部２３とで形成されている。
【０００９】
紐固定具２０は適度な弾性力を有する、中低圧ＰＥ（ポリエチレン）等の合成樹脂製で一体成形され、再生材料等を使用可能である。この紐固定具２０の紐固定具本体２１は、一端部近傍に縦長の凹部２４を有し、その反対側の端部にはフック部２７が形成されて、Ｊ字状に成形されている。フック部２７は、紐固定具本体２１より厚みが薄く形成され、弾性変形が容易に可能に設けられ、その円弧は１８０度以上に形成されている。そして、フック部２７の先端部は、わずかに外側に湾曲している湾曲部２７ａとなっている。紐固定具本体２１の凹部２４は、紐１０が挿通される部分であり、この凹部２４の底面２５は、紐固定具本体２１の長手方向に対して略直角に形成されている。
【００１０】
紐保持部２３は、図２に示すように、Ｔ字状に形成されており、その中央部の脚部２９の下端部に斜面２８が形成されている。紐保持部２３の頭部２２の中央部には、凹状の切欠き部２６が形成されている。この切欠き部２６は、図２に示すように、紐固定具本体２１に対して斜め上方にむかって切りこまれ、紐１０が挿通可能な幅に形成されている。紐固定具本体２１と紐保持部２３とは、例えばステンレス製のピン３０などで互いに揺動可能に取り付けられている。
【００１１】
次に、この紐固定具２０の使用方法について説明する。ここで先ず、ビニールハウスのパイプ１２は、通常、直径が１９ｍｍ、２２ｍｍ、２５ｍｍ、３２ｍｍの太さで造らている。この実施形態の紐固定具２０は、このパイプ１２の太さにかかわらず、装着可能に設けられ、装着に際して、図１に示すように、紐固定具２０のフック部２７を、ビニールハウス等の下端部の水平方向の骨組みとなるパイプ１２に取り付ける。このとき、まずはじめに、紐挿入部である凹部２４から紐１０を通し、適当な長さまで通し終えた後に、結び目１０ａを作り抜けないようにする。そして、紐１０を上方向に引くと、その張力により頭部２２が後方に倒れ、脚部２９の斜面２８と紐４０とが略平行になり、さらに紐１０を引くことにより頭部２２が揺動し脚部２６の下端部の斜面２８と凹部２４の底面２５により紐を挟持し固定することとなる。そして、頭部２２の切欠き部２６に紐４０を沿わせて、横ずれもしないようにする。
【００１２】
そして、ビニールハウスの反対側のシートも、この紐固定具２０で止める場合は、一方の側の紐固定具２０を上記のようにパイプ１２に係合し、紐１０の他端部に他の紐固定具２０を挿通し、紐１０の先端部を結んで抜けないようにし、ビニールハウスの反対側へ放り投げて向こう側に渡す。この紐固定具２０の重さは例えば３０ｇ程度であり、上記従来のものよりも重いため、容易に確実に向こうへ渡すことが出来る。また、片側のみ紐固定具２０を使用する場合は、一方をパイプ１２等の構造材に結び、紐固定具２０を付けた紐１０を向こう側へ渡す。そして紐固定具２０をパイプ１２に係合させ、結び目１０ａ側を引くことにより、紐１０が引き寄せられ、締め付けられる。
【００１３】
また、フック部２７は湾曲部２７ａがあることにより、太いパイプにも容易に嵌合可能であり、フック部２７の円弧部が１８０度以上に形成され、フック部２７も紐固定具本体２１の直線部よりも薄く形成され、弾性変形が容易に可能であり、太さの異なるパイプにも確実に嵌合し得る。
【００１４】
そして、この実施形態の紐固定具１０によれば、パイプ１２等の構造材への取り付けに際して、取り付け作業が容易であり、取り付け強度も高い。そして紐４０の横ずれも防止し、紐４０をピンと張った状態で確実に保持するものである。
【００１５】
また、紐固定具２０はポリエチレンなどの合成樹脂製で、コストが安価で耐久性にも優れており、樹脂廃材を再利用することも可能である。その際は、黒色または暗色にして成形することにより、リサイクルによる色の濁りを消すことができる。特に、土の上で使うため、色が濃い再生材料を使用するほうが着色にもあまりコストがかからない。
【００１６】
なお、この発明の紐固定具は、上記実施の形態に限定されるものではなく、各部材の形状や素材など適宜変更可能である。そして構造材と紐が略直角に交差する場所に使用することが出来、温室以外の構造物などにも使用可能である。
【００１７】
【発明の効果】
この発明の紐固定具は、取り付け作業が容易で、シート等を押さえる紐の横ずれを防止し、高い取り付け強度で確実に構造材に紐を取りつけるものである。
【図面の簡単な説明】
【図１】この発明の第一実施形態の紐固定具の使用状態を示す斜視図である。
【図２】この実施の形態の紐保持部の左側面図（Ａ）と紐保持部の正面図（Ｂ）である。
【図３】従来の技術の紐固定具の使用状態を示す斜視図である。
【図４】従来の技術の紐保持部の左側面図（Ａ）と紐保持部の正面図（Ｂ）である。
【符号の説明】
１０    紐
１２    パイプ
２０    紐保持部
２１    紐固定具本体
２３    紐保持部
２４    凹部
２５    底部
２６    切欠き部
２７    フック部
２８    斜面
２９    脚部
【図１】
0003808190.tif 000002
【図２】
0003808190.tif 000003
【図３】
0003808190.tif 000004
【図４】
0003808190.tif 000005